(57)【要約】  【課題】本発明では、乳幼児の体格の大小に関わらず、体格に応じて適切に保護者に装着することができ、乳幼児にとっても、装着時に負担を感じさせることがないベビーキャリアの提供を目的とする。  【解決手段】  乳幼児を包むべく、長さ方向の両端部を連結して環状とするシート状の包持部１２を具備し、上記包持部１２の左右両側縁部に、上記包持部上の乳幼児を左右両側から保護する保護部１３を形成したベビーキャリア１１であって、上記保護部１３における少なくとも１部位を、柔軟性を有する柔軟性部材１８ａ，１９ａと、該柔軟性部材１８ａ，１９ａを収容する収容部１８ｂ，１９ｂとを有して形成し、上記収容部１８ｂ，１９ｂには、該収容部１８ｂ，１９ｂに対して上記柔軟性部材１８ａ，１９ａの出し入れが可能な開口部２２を有し、上記開口部２２を開口自在に封着する封着手段２３を、上記開口部２２の開口縁部に設けたベビーキャリア１１。  【選択図】    図１
2006204315.tif 000002
【特許請求の範囲】
【請求項１】
乳幼児を包むべく、長さ方向の両端部を連結して環状とするシート状の包持部を具備し、上記包持部の左右両側縁部に、上記包持部上の乳幼児を左右両側から保護する保護部を形成したベビーキャリアであって、
上記保護部における少なくとも１部位を、上記包持部の左右各側縁部に対しての取り付け、又は取り外しが可能な着脱用保護部材により形成した
ベビーキャリア。
【請求項２】
乳幼児を包むべく、長さ方向の両端部を連結して環状とするシート状の包持部を具備し、上記包持部の左右両側縁部に、上記包持部上の乳幼児を左右両側から保護する保護部を形成したベビーキャリアであって、
上記保護部における少なくとも１部位を、柔軟性を有する柔軟性部材と、該柔軟性部材を収容する収容部とを有して形成し、
上記収容部には、該収容部に対して上記柔軟性部材の出し入れが可能な開口部を有し、
上記開口部を開口自在に封着する封着手段を、上記開口部の開口縁部に設けた
ベビーキャリア。
【請求項３】
前記保護部における少なくとも前記１部位を、乳幼児の頭部を当接させるパッド部材の近傍部位に設定した
請求項１、又は、請求項２に記載のベビーキャリア。
【請求項４】
前記保護部における少なくとも前記１部位を、上記保護部の長さ方向の両端部位における、乳幼児の頭部を当接させるパッド部材の有する端部側とは他端部側部位に設定した
請求項１、又は、請求項２に記載のベビーキャリア。
【請求項５】
前記開口部を、前記収容部における前記包持部との接合部近傍であり、且つ、乳幼児の有する側に対して反対側部位に形成した
請求項２から請求項４のいずれか一項に記載のベビーキャリア。
【請求項６】
前記封着手段を、一対のスライドファスナに設定し、
上記一方のスライドファスナを前記開口部における一方の口縁部に形成し、上記他方のスライドファスナを開口部における他方の口縁部に形成した
請求項２から請求項５のいずれか一項に記載のベビーキャリア。
【発明の詳細な説明】
【技術分野】
【０００１】
この発明は、乳幼児を抱っこするために用いる乳幼児用スリングとも称されるベビーキャリアに関する。
【背景技術】
【０００２】
上記ベビーキャリアは、乳幼児の成長、或いは、周囲の状況、使用用途などに応じて様々な取り付け形態で装着することができる。このように、利便性が高いことから、広く普及しつつある。  
最近では、従来の構成にさらに改良を加えたベビーキャリアに関する文献も開示されている。
【０００３】
例えば、下記特許文献１に係る「乳幼児用スリング」が開示されている。上記「乳幼児用スリング」の構成は、長さ方向の中央部で乳幼児を保持する保持部を有している。  
上記保持部は布状の底部、及び、その左右両側に有する側面部とを具備して形成し、その両端部を絞った形態としている。上記底部については、平面視すると船底形状となり、折り畳みが可能に蛇腹状に形成している。
【０００４】
さらに、上記側面部は、上記底部から乳幼児用スリングの上端部（開口部）までを覆う厚みに形成している。
【０００５】
上述したように、上記保持部を蛇腹状に形成することにより、乳幼児の体格の大小、乳幼児の姿勢、保持部内部における乳幼児の運動に応じて、蛇腹が伸縮し、乳幼児にとって必要十分な空間を確保できることが開示されている。
【０００６】
保持部に乳幼児を載せていない場合においては、蛇腹を形成する折癖による復元力により保持部は、確かに蛇腹を折り畳んだ状態を維持することができる。
【０００７】
しかし、保持部に形成した蛇腹は、布に折癖を付して形成しただけであるためであっても、折癖による蛇腹の復元力は、小さい。このため、たとえ、体格が小さな乳児であっても、保持部に載せた時点で、その自重により、或いは、内部で運動することにより、保持部は完全に伸長してしまい、布が余った状態となる。よって、必ずしも乳幼児の体格に応じた適切な空間を確保できるとはいえない。
【０００８】
また、体格の小さな乳児を抱いたときには、通常、乳母車用スリングの長さ方向における端部側の側面部が余ってしまう。  
ところが、上記側面部は、上述したように布状の上記底面部と比較して厚みを有して形成しており、また、保持部は、長さ方向に長く形成している。
【０００９】
このため、乳母車用スリング装着時に上記側面部における長さ方向の端部側の余分な部位が保護者を圧迫したり、保護者に対して適切に保持部が密着しない状態で装着されたりするため、乳母車用スリングの装着が不充分になるなどの問題も有する。
【００１０】
【特許文献１】特開２００３−４７５４２号公報
【発明の開示】
【発明が解決しようとする課題】
【００１１】
そこで本発明では、乳幼児の体格の大小に関わらず、体格に応じて適切に保護者に装着することができ、乳幼児にとっても、装着時に負担を感じさせることのないベビーキャリアの提供を目的とする。
【課題を解決するための手段】
【００１２】
本発明に係るベビーキャリアは、乳幼児を包むべく、長さ方向の両端部を連結して環状とするシート状の包持部を具備し、上記包持部の左右両側縁部に、上記包持部上の乳幼児を左右両側から保護する保護部を形成したベビーキャリアであって、上記保護部における少なくとも１部位を、上記包持部の左右各側縁部に対しての取り付け、又は取り外しが可能な着脱用保護部材により形成した構成であることを特徴とする。
【００１３】
或いは、本発明に係るベビーキャリアは、乳幼児を包むべく、長さ方向の両端部を連結して環状とするシート状の包持部を具備し、上記包持部の左右両側縁部に、上記包持部上の乳幼児を左右両側から保護する保護部を形成したベビーキャリアであって、上記保護部における少なくとも１部位を、柔軟性を有する柔軟性部材と、該柔軟性部材を収容する収容部とを有して形成し、上記収容部には、該収容部に対して上記柔軟性部材の出し入れが可能な開口部を有し、上記開口部を開口自在に封着する封着手段を、上記開口部の開口縁部に設けた構成であることを特徴とする。
【００１４】
また、本発明に係るベビーキャリアは、前記保護部における少なくとも前記１部位を、乳幼児の頭部を当接させるパッド部材の近傍部位に設定することが好ましい。
【００１５】
或いは、本発明に係るベビーキャリアは、前記保護部における少なくとも前記１部位を、上記保護部の長さ方向の両端部位における、乳幼児の頭部を当接させるパッド部材の有する端部側とは他端部側部位に設定するもよい。
【００１６】
また、本発明に係るベビーキャリアは、上記開口部を、上記収容部における上記包持部との接合部近傍であり、且つ、乳幼児の有する側に対して反対側部位に形成することが好ましい。
【００１７】
さらに、本発明に係るベビーキャリアは、上記封着手段として、例えば、面ファスナ、ホック、スナップ、紐部材等により形成することができるが、好ましくは、一対のスライドファスナにより形成することができる。具体的には、上記一方のスライドファスナを上記開口部における一方の口縁部に形成し、上記他方のスライドファスナを開口部における他方の口縁部に形成するとよい。
【発明の効果】
【００１８】
請求項１、又は、請求項２に係る発明によれば、上述したベビーキャリアの装着方法、乳幼児の体格などに応じて、適宜、着脱用保護部、或いは柔軟性部材を取り付けた状態、或いは取り外した状態とすることができる。
【００１９】
例えば、保護者の体側に密着する保護部を取り外せば乳幼児に対して母乳や、食事を与え易くなる。さらに、保護部を包持部に対して別部材にすることが可能となるため、水洗いし易く、収納も容易にすることができる。
【００２０】
特に、請求項１に係る発明によれば、着脱用保護部材を包持部の左右各側縁部に対して直接的に容易に取り付け、又は取り外しが可能であるため、保護者は、ベビーキャリアを装着した状態であっても、容易に着脱用保護部材の取り付け、又は取り外しが可能である。
【００２１】
これに対して、請求項２に係る発明によれば、柔軟性部材を一旦、収容部に収容すれば、該収容部により外側を覆うことができるため、柔軟性部材は、しっかりと取り付けることができる。
【００２２】
ここで、請求項３に係る発明のように、上記パッド部材の近傍部位における着脱用保護部を着脱可能に形成することが有効である。例えば、「半たて抱き」と称する装着方法により装着したとき、パッド部材を肩パッドとして保護者の肩に掛けるが、その際、上記着脱用保護部を取り外しておけば、該着脱用保護部が、保護者の首を圧迫することがなく、さらに、パッド部材を肩に対して適切に当接させることができる。
【００２３】
さらに、ベビーキャリアは、装着したとき嵩張らないため、全体的にスリムでスマートな取り付け形態で装着することができる。
【００２４】
また、例えば、「ゆりかご抱き」と称する装着方法により装着したときは、上記パッド部材を乳幼児の頭部用パッドとして用いるが、その際、上記パッド部材の近傍部位における上記着脱用保護部を取り付けておけば、該着脱用保護部が、乳幼児の主に頭部側を保護することができる。このように、ベビーキャリアの装着方法などに応じて保護部の適した着脱状態を任意に選択することができる。
【００２５】
また、請求項４に係る発明によれば、例えば、上記保護部の長さ方向における、パッド部材の他端部側に有する部位を着脱可能に形成すれば、例えば、上記「半たて抱き」と称する装着方法により装着したとき、保護者の体格が大きな場合は、保護部の長さ方向におけるパッド部材の他端部側に有する着脱用保護部を取り付けた状態でベビーキャリア１１を装着するとよい。これにより、該着脱用保護部によって、乳幼児が包持部内で動作しても安全に保持することができる。
【００２６】
しかも、上記取り付けた着脱用保護部が積極的に保護者側に密着することにより、ベビーキャリア１１が位置ずれしたり振動したりすることもないため、保護者にとっても乳幼児にとっても快適な取り付け状態を確保することができる。
【００２７】
これに対して、パッド部材の他端部側に有する上記着脱用保護部を取り外せば、保護者の体格が小さな場合は、上記着脱用保護部が、長さ調節の妨げになることもなくベビーキャリア１１を上記着脱用保護部が取り付いていた部位も含めて短く調節することができる。よって、女性であっても、乳幼児を所定の部位に位置させて適切に取り付けることができる。
【００２８】
さらに、例えば、「ゆりかご抱き」と称する装着方法により装着したときは、乳幼児の体格が小さい場合において、不要となる上記着脱可能に形成した着脱用保護部を取り外すことができる。
【００２９】
このため、該着脱用保護部の例えば、柔軟性部材が保護者の腰部に密着して圧迫することもなく、しっかりと装着することができる。これにより、乳幼児にとっても、保護者にとっても快適で安全な状態で装着できる。  
すなわち、上記保護部の長さ方向におけるパッド部材の他端部側に有する上記部位を着脱可能に形成すれば、特に、サイズ調節が可能なベビーキャリアを構成することができる。
【００３０】
請求項５に係る発明によれば、乳幼児が意図的、或いは、無意識に関わらず開口部に接触することがない。よって、乳幼児が収容部内から柔軟性部材を取り出してしまうことや、開口部内、或いは開口部縁部に指などが接触して怪我をするおそれもなく、乳幼児の安全を確保することができる。
【００３１】
請求項６に係る発明によれば、開口部をスライドファスナにより封着することにより隙間なく閉口することができる。さらに、保護者にとっては、スライダにより開閉操作も容易に行うことができるとともに、乳幼児によっては、一度閉口すれば、不用意に開口してしまうこともないため有効である。
【発明を実施するための最良の形態】
【００３２】
この発明の一実施形態を、以下図面を用いて説明する。  
図１、図２は、本実施形態におけるベビーキャリア１１の外観図を示す。なお、図１は、ベビーキャリア１１を展開した状態を示し、図２は、ベビーキャリア１１を環状にした状態を示す。
【００３３】
本実施形態におけるベビーキャリア１１は、乳幼児を把持するシート状の包持部１２と該包持部１２の左右両縁側に、乳幼児を左右両側から保護する保護部１３を形成している。さらに、長さ方向の両端側には、該各端部どうしを連結する一対の連結部１４を具備している。
【００３４】
上記保護部１３については、左右各側において、長さ方向の両端部を除いた部位を節状に５つの区画に区分している。そして、各区画の内部には、発泡ウレタンで形成した柔軟性部材を外覆布１６により収容し、該外覆布１６を上記包持部１２に対して左右両縁部に縫着して形成している。
【００３５】
ここで、保護部１３の長さ方向における最も足部側部位、すなわち、保護部１３の長さ方向における両端部における当接用パッド１７の有する側と他端部側部位を第１着脱用保護部１８に設定する。
【００３６】
さらに、保護部１３の長さ方向における頭部側部位、すなわち、保護部１３における当接用パッド１７近傍部位を第２着脱用保護部１９に設定する。
【００３７】
上記第１着脱用保護部１８を除いた部位以外の各保護部１３は、上記第２着脱用保護部１９も含めて略同一の大きさ、長さで形成し、第１着脱用保護部１８が他の保護部１３と比較して半分程度の長さになるよう形成している。
【００３８】
上記第１着脱用保護部１８、及び、第２着脱用保護部１９における内部に封入している柔軟性部材は、それぞれ袋体に封入した着脱用柔軟性部材１８ａ，１９ａにより形成し、上記第１着脱用保護部１８、及び、第２着脱用保護部１９に対応する部位の外覆布１６は、上記着脱用柔軟性部材１８ａ，１９ａを収容可能な収容部１８ｂ，１９ｂとして形成している。
【００３９】
すなわち、収容部１８ｂ，１９ｂには、該収容部１８ｂ，１９ｂに対して上記着脱用柔軟性部材１８ａ，１９ａの取り出し、或いは、収容が可能とする開口部２２を形成している。さらに、上記開口部２２は、収容部１６における包持部１２上の乳幼児から最も遠ざけた部位に形成している。
【００４０】
具体的には、上記第１着脱用保護部１８、及び、第２着脱用保護部１９における開口部２２の形成部位は、図３（ａ），（ｂ）に示したように、ベビーキャリア１１の底面側であり、且つ、包持部１２との接合部位である縫着部における近傍である。該部位において保護部１３の長さ方向にかけて形成している。
【００４１】
さらに、上記開口部２２は、開閉自在に形成している。  
具体的には、図４における第２着脱用保護部１９に示すように、開口部２２における一方の開口縁部には、一方のスライドファスナ２３ａを縫着し、他方の開口縁部には、他方のスライドファスナ２３ｂを縫着している。
【００４２】
上記一対のスライドファスナ２３を係合するスライダ２３ｃのスライド操作により、開口部２２の開閉を自在に行うことができる。  
なお、開口部の縁部に縫着したスライドファスナ２３を隠蔽可能とする帯状の布２０を、スライドファスナ２３を縫着した一方の外側縁部に縫着している。
【００４３】
次に、上記包持部１２については、乳幼児の頭部を当接する部位に相当する部位に、頭部を当接可能な大きさを有した柔軟な当接用パッド１７を取り付けている。
【００４４】
ここで、上記当接用パッド１７は、図５（ａ）に示したように、その幅方向の中央部に当接部１７ａを有し、その左右両側から片状に延びる耳部１７ｂを有している。そして、当接用パッド１７における当接部１７ａの底面側を上記包持部１２における頭部側に対応する部位に縫着することにより取り付いている。これに対して、図５（ｂ）に示したように、耳部１７ｂは、直接、包持部１２に縫着していない。さらに、図５（ｂ）に示すように布状に形成した包持部１２は、幅方向に広げたとき、耳部１７ｂの外側において保持部が該耳部１７ｂと近接するよう形成するのではなく、乳幼児を包持可能な空間が左右両側の保護部１３間に形成されるよう幅方向に伸張可能に余裕をもって形成している。  
これにより、耳部１７ｂの背面側において包持部１２は、伸張、或いは弛緩が可能に形成している。
【００４５】
最後に上記連結部１４の構成について説明する。上記一対の連結部１４における一方の連結部１４ａは、上記の頭部側端部において２つの環状部材２４により形成している。  
具体的には、上記包持部１２、及び、保護部１３の頭部側端部を線状に束ねた後、これらを上記２つの環状部材２４に挿通すると同時に、上記当接用パッド１７側の有する側へ折り返して、該当接用パッド１７における当接部１７ａに一体に連結している。これにより、２つの環状部材２４を、頭部側端部において保持させることができる（図４、及び、図５（ａ）参照）。  
ここで、上記２つの環状部材２４において、ベビーキャリア１１の長さ方向の外側に有する環状部材２４を第１環状部材２４に設定し、ベビーキャリア１１の長さ方向の内側に有する環状部材２４を第２環状部材２４に設定する。
【００４６】
さらに、上記環状部材２４の具体的な構成について、図６（ａ），（ｂ）を用いて説明する。上記環状部材２４は、円環状をしたその内周部、及び、内周縁部に、軸方向の溝を複数、樹脂成型により形成している。これにより、上記環状部材２４の内周部、及び、内周縁部には、複数の凹凸を形成することができる。
【００４７】
続いて、上記一対の連結部１４における他方の連結部１４ｂについては、ベビーキャリア１１の長さ方向における足部側端部に形成し、包持部１２、及び、保護部１３における足部側端部を絞るべく、折り畳んで重合していき、帯状をした調節用帯部２５を形成している（図３（ｂ）参照）。
【００４８】
さらに、図６（ｃ），（ｄ）に示したように、上記調節用帯部２５の先端部には、合成樹脂製の円柱状をしたストッパ部材２６を取り付けている。ストッパ部材２６の幅方向の中央部には、上記調節用帯部２５を挿通可能な幅の挿通孔２６ａを長さ方向にかけて形成している。また、上記ストッパ部材２６は、その円柱形をした全長が上記環状部材２４の内周径よりも長くなるよう形成している。
【００４９】
上記ストッパ部材２６における挿通孔２６ａに上記調節用帯部２５の先端部を挿通した後、折り返し、該折り返した先端部を該先端部との重合部へ縫着することにより、一体に取り付けている。
【００５０】
以上のように包持部１２、保護部１３、連結部１４をそれぞれ形成し、ベビーキャリア１１を構成している。
【００５１】
次に、上記構成を採る上記ベビーキャリア１１の装着方法について説明する。  
まず、ベビーキャリア１１を環状にする手順について簡単に述べる。ベビーキャリア１１をねじりがないよう整え、包持部１２における当接用パッド１７の有する側を上面側に位置させる。そして、上記一対の連結部１４における端部どうしを互いに対向させて、上記調節用帯部２５を２本の環状部材２４に挿通させる。
【００５２】
そのまま、調節用帯部２５における上記環状部材２４に挿通させた部位を当接用パッド１７側へ折り返し、該折り返した部位を第２環状部材２４に対して、上述とは挿通方向を逆にして挿通する。
【００５３】
上述のように配した調節用帯部２５を、途中で弛むことがないよう第１環状部材２４に密接するまで引っ張っておく。  
以上により、ベビーキャリア１１を環状にすることができる。
【００５４】
さらに、上記環状としたベビーキャリア１１を保護者に対して、様々な形態で装着することができるが、いわゆる「ゆりかご抱き」と称される装着方法を採りあげ、本実施形態の作用・効果を説明する。
【００５５】
保護者が右利きの場合は、当接用パッド１７が保護者の右側に位置するよう右肩に一方の連結部１４ａ側を掛け、さらに、調節用帯部２５が背中側に垂下するよう上記環状としたベビーキャリア１１を装着する。
【００５６】
ここで、上記ベビーキャリア１１に包持する乳幼児の体格が大きい場合は、第１着脱用保護部１８、及び、第２着脱用保護部１９において、着脱可能とした着脱用柔軟性部材１８ａ，１９ａを取り付けた状態で装着するとよい。
【００５７】
なぜなら、体格が大きな乳幼児であっても頭部から足部側にかけて左右両側から保護部１３によって確実に保護することができるためである。
【００５８】
しかし、第１着脱用保護部１８内の着脱用柔軟性部材１８ａを取り付けたままの状態でベビーキャリア１１を装着すれば、図１３（ａ）に示したように、体格が小さな乳幼児の場合、着脱用柔軟性部材１８ａが保護者の左側の腰部を圧迫した状態で密着するため、保護者は、圧迫感を感じてしまう。
【００５９】
これに対して、乳幼児の体格が小さい場合において、第１着脱用保護部１８内の着脱用柔軟性部材１８ａを取り外した場合、図７（ａ）に示したように、第１着脱用保護部１８は、着脱用柔軟性部材１８ａを取り外した収容部１８ｂのみの状態であるため、該第１着脱用保護部１８が保護者の腰部に密着しても保護者を圧迫せず、逆に保護部１３における外覆布１６が巻きついた状態でしっかりとベビーキャリア１を取り付けることができる。
【００６０】
さらに、従来のように、保護者の腰周りに無理に当接することにより該第１着脱用保護部１８を屈曲させる力が作用してベビーキャリア１１全体の形態がくずれてしまうことがない。
よって、ベビーキャリア１１全体を適切な形態のまま安定させることで、乳幼児にとっても負担を要さず、乳幼児の姿勢を安定的に包持することができる。
【００６１】
次に、比較的、体格の大きな乳幼児の場合に適した装着方法される「半たて抱き」、或いは「水平抱き」と称する装着方法をもとに、本実施形態に係るベビーキャリア１１の作用・効果について説明する。
【００６２】
上記装着方法においては、右利きである保護者に対しては、当接用パッド１７部が保護者の右肩の上にあり、環状部材２４が鎖骨の上にあり、調節用帯部１５が前側に垂下している状態でベビーキャリア１１を装着することができる。
【００６３】
上記装着方法においては、上記当接用パッド１７を肩パッドとして用いることができる。このため、保護者の負担を軽減することができる。
【００６４】
しかし、当接用パッド部１７に対して左右両側に有する第２着脱用保護部１９における着脱用柔軟性部材１９ａを取り付けたままの状態であれば、ベビーキャリア１１を適切に装着することができない。すなわち、図１３（ｂ）に示したように、当接用パッド１７を保護者の右肩の上に当接させたとき一方の側の第２着脱用保護部１９における着脱用柔軟性部材１９ａが保護者の首筋を圧迫することになるため、保護者にとって、負担になる。
【００６５】
或いは、第２着脱用保護部１９における着脱用柔軟性部材１９ａの存在により、適切に当接用パッド１７が右肩に当接することを阻害されるため、ベビーキャリア１１内部の乳幼児が運動したとき、当接用パッド１７が保護者の右肩からずれ落ちてしまう事態も生じる。
【００６６】
これに対して、図７（ｂ）に示したように、ベビーキャリア１１装着時においては、通常、不要になる第２着脱用保護部１９における着脱用柔軟性部材１９ａを取り外して装着すれば、当接用パッド１７を右肩に当接させたとき保護者は負担を要せずに肩に掛けることができる。
【００６７】
上述したように、ベビーキャリア１１の装着方法、乳幼児の体格、使用用途などに応じて、適宜、第１着脱用保護部１８、及び、第２着脱用保護部１９における着脱用柔軟性部材１８ａ，１９ａを取り付けた状態、或いは取り外した状態とすることにより、乳幼児にとっても、保護者にとっても快適で安全な状態でベビーキャリア１１を装着できる。
【００６８】
また、上記「半立て抱き」と称する装着方法の場合、通常、ベビーキャリア１１は、乳幼児を保護者の腰上の所定部位に位置させた状態で装着される。ここで、図７（ｂ）に示したように、男性など体格が大きい保護者の場合などにおいて、ベビーキャリア１１は、保護者の上半身に対して、当然、たすき掛けが可能な長さを確保する必要がある。
【００６９】
体格が大きい保護者に対しても、たすき掛けができるように、ベビーキャリア１１は、調節用帯部２５における垂下させる部位の長さが短くなるよう調節される。すなわち、このような取り付け形態の場合は、調節用帯部２５が環状部材２４に係合するとともに、第１着脱用保護部１８が環状部材２５と乳幼児との間に位置した状態で取り付けることができる。
【００７０】
このとき、上記第１着脱用保護部１８における着脱用柔軟性部材１８ａを取り付けておくことにより、該第１着脱用保護部１８が存在する部位において、ベビーキャリア１１と保護者とを積極的に密着させることができる。
【００７１】
よって、乳幼児が動作しても安全に保持することができ、しかも、ベビーキャリア１１が位置ずれしたり振動したりすることもないため、保護者にとっても乳幼児にとっても快適な取り付け状態を確保することができる。
【００７２】
一方、図８に示したように女性などの体格小さい保護者の場合などは、体格が大きな保護者と比較して、調節用帯部２５を垂下させる長さが長くなるよう調節される。この場合においては、上記第１着脱用保護部１８において着脱用柔軟性部材１８ａを取り外しておけば、調節用帯部２５とともに、上記第１着脱用保護部１８、及び、上記着脱用柔軟性部材１８ａが取り付いていた部位に対応する包持部１２までも環状部材２４によって係合させることができる。
【００７３】
すなわち、第１着脱用保護部１８がベビーキャリア１１の長さ調節の妨げになることもなく、乳幼児を所定の部位に位置させて女性の体格に適した取り付け状態で取り付けることができる。  
なお、この場合、包持部１２は、充分、環状部材２４側まで引き上げているため、着脱用柔軟性部材１８ａを取り外した状態であっても乳幼児をしっかりと保持することができる。
【００７４】
また、図９に示したように、ベビーキャリア１１には、乳幼児をより安全、確実に保護するための係合用ベルト３０を取り付けてもよい。  
具体的には、ベビーキャリア１１の長さ方向における中央部には、左右両側からベルト部材を延設している。上記左右両側のベルト部材の先端には、互いに着脱可能な係合部材を取り付けている。
【００７５】
上記係合用ベルト３０を使用することにより、例えば、乳幼児に授乳する場合などにおいて保護者の体側に有する保護部１３を取り外した場合であっても、確実に乳幼児を保護することができる。
【００７６】
また、上述したように上記開口部２２を第１着脱用保護部１８、及び、第２着脱用保護部１９における乳幼児から遠ざけた部位に形成することにより（図３参照）、乳幼児が意図的、或いは、無意識に関わらずスライドファスナ２３に接触することがない。よって、乳幼児が収容部１６内から着脱用柔軟性部材１８ａ，１９ａを取り出してしまうことや、スライドファスナ２３に指を詰めてしまうこともないため、乳幼児の安全を確保することができる。
【００７７】
さらに、環状部材２４の内周部、及び、内周縁部を凹凸形状に形成することで（図６（ａ），（ｂ）参照）、調節用帯部２５を連結したとき、該調節用帯部２５が環状部材２４に対してより強固に係合することができる。
さらに、調節用帯部２５の先端にストッパ部材２６を取り付けることにより（図６（ｃ），（ｄ）参照）、ストッパ部材２６が環状部材２４に干渉することで、不用意に両端側の連結が解除されることを規制することができる。
【００７８】
また、上記保護部１３は、第１着脱用保護部１８、及び、第２着脱用保護部１９において、収容部１６に対して着脱用柔軟性部材１８ａ，１９ａの取り付け、取り外しが可能に形成したが、上記部位に限らず、例えば、長さ方向の中央部を取り外し可能に形成してもよい。
【００７９】
この場合、まず、ベビーキャリア１１を装着した状態で、乳幼児をあやしたりすることで、寝かしつけた後、身を屈めて布団の上に乳幼児を載置した状態のまま、ベビーキャリア１１を容易に抜き取ることができるため、乳幼児をベッドに移動させることができる。
【００８０】
さらに、保護部１３の長さ方向の中央部位における保護者に当接する側の着脱用柔軟性部材を着脱可能に形成すれば、該着脱用柔軟性部材を取り外すことでより、乳幼児を保護者の側に接近させることができるため、授乳するなど乳幼児の世話をし易くすることができる。  
このように、適宜、所望の部位を複数取り外しが可能に形成することができる。
【００８１】
また、上述した実施形態において、開口部２２の縁部に縫着したスライドファスナ２３を用いて、開口部２２の開閉を行ったが、例えば、面ファスナ、フック、スナップなど他の固定手段を用いてもよい。
【００８２】
さらに、上述したように保護部１３は、着脱用柔軟性部材１８ａ，１９ａを収容可能な収容部１６を形成し、該収容部１６に対して着脱用柔軟性部材１８ａ，１９ａの取り付け、或いは収容が可能としたが、勿論、上述した固定手段を用いて包持部１２の左右両縁部に対して直接、着脱可能な着脱用保護部材を形成してもよい。
【００８３】
すなわち、例えば、図１０（ａ），（ｂ）に示したように、ベビーキャリア１１は、上記外覆布１６を袋状ではなくシート状の外布で形成し、その上面外側に一方の面ファスナ２９ａを添着し、頭部側保護部１９を形成する着脱用保護部材１９ｃにおける上記一方の面ファスナａとの重合部位に他方の面ファスナ２９ｂを添着して形成することができる。
【００８４】
この構成とした場合、ベビーキャリア１１を装着している状態であっても保護者は、片手で適宜、着脱用保護部材１９ｃを着脱することができる。しかも、一対の面ファスナ２９ａ，２９ｂで強固に係合しているため、一旦、外布１６に取り付ければ、着脱用保護部材１９ｃが不用意に外れることがない。
【００８５】
勿論、図１１に示したように、上記外布１６を形成せず、直接、包持部１２における頭部側に対応する部位の左右両端部に着脱用保護部材１９ｃを着脱可能に取り付けてもよい。この構成の場合は、一方の面ファスナ２９ａを包持部１２の裏面側における左右外側から延設し、該一方の面ファスナ２９ａに対して、着脱用保護部材１９ｃにおける他方の面ファスナ２９ｂを取り外し可能に取り付けることができる。
【００８６】
さらに、図１２に示したように、上記着脱用保護部材１９ｃは、上述した着脱用柔軟性部材１９ａのように、収容部１９ｂに開口部２２を有して内部の柔軟性部材１９ｄを取り出し可能に形成してもよい。しかも、着脱用保護部材１９ｃは、外布１６に対して一対の面ファスナ２９ａ，２９ｂを用いて着脱可能に形成している。
【００８７】
具体的には、柔軟性部材１９ｄは、複数の紐状の弾性ウレタン部材１９ｄを束ねて柔軟に形成しており、該弾性ウレタン部材１９ｄを束ねる本数を適宜、増減させて必要本数にした状態で用いることができる。これにより、例えば、乳幼児の大きさ、用途に応じて上記着脱用保護部１９ｃの大きさを自在に調節して用いることができる。
【００８８】
その他、上記保護部１３は、空気などの流体を充填してもよい。例えば、使用時には、所定の上記保護部１３のみを空気圧により膨張させて使用することができ、また、不使用時には、収縮することで持ち運びが容易に行うことができる。
【００８９】
さらに、当接用パッド１７を包持部１２に対して面ファスナ、スナップなどの固定手段を用いて着脱可能に形成してもよい。
【００９０】
また、上述の実施形態と、この発明の構成との対応において、この実施形態の着脱用柔軟性部材１８ａ，１９ａは、この発明の柔軟性部材に対応し、同様に、当接用パッド１７は、パッド部材に対応するも、この発明は、上述の実施形態の構成のみに限定されるものではなく、上述したように多くの実施の形態を得ることができる。
【図面の簡単な説明】
【００９１】
【図１】展開状態としたベビーキャリアの平面図。
【図２】環状としたベビーキャリアの外観図。
【図３】ベビーキャリアの一方の端部側の底面図（ａ）、ベビーキャリアの他方の端部側の底面図（ｂ）。
【図４】頭部側着脱用保護部の構成を示す説明図。
【図５】ベビーキャリアの一方の端部側の平面図（ａ）、図６（ａ）におけるＡ−Ａ端面図（ｂ）。
【図６】環状部材の正面図（ａ）、図５（ａ）におけるＡ−Ａ断面図（ｂ）、ストッパ部材の正面図（ｃ）、図５（ｃ）におけるＢ−Ｂ断面図（ｄ）。
【図７】ベビーキャリアを装着した状態を示す外観図（ａ）、ベビーキャリアを他の装着方法により装着した状態を示す外観図（ｂ）。
【図８】本実施形態に係るベビーキャリアの使用状態図。
【図９】他の実施形態に係るベビーキャリアの使用状態図。
【図１０】他の実施形態に係るベビーキャリアの要部における平面図（ａ）、要部における側面図（ｂ）。
【図１１】他の実施形態に係るベビーキャリアの要部における平面図（ａ）、要部における側面図（ｂ）。
【図１２】他の実施形態に係るベビーキャリアの説明。
【図１３】従来のベビーキャリアを装着した状態を示す外観図（ａ）、従来のベビーキャリアを他の装着方法により装着した状態を示す外観図（ｂ）。
【符号の説明】
【００９２】
１１…ベビーキャリア
１２…包持部
１３…保護部
１８…第１着脱用保護部
１９…第２着脱用保護部
１８ａ，１９ａ…着脱用柔軟性部材
１８ｂ，１９ｂ…収容部
１９ｃ，１９ｄ…着脱用保護部材
２２…開口部
２３…一対のスライドファスナ
２９…一対の面ファスナ
【図１】
2006204315.tif 000003
【図２】
2006204315.tif 000004
【図３】
2006204315.tif 000005
【図４】
2006204315.tif 000006
【図５】
2006204315.tif 000007
【図６】
2006204315.tif 000008
【図７】
2006204315.tif 000009
【図８】
2006204315.tif 000010
【図９】
2006204315.tif 000011
【図１０】
2006204315.tif 000012
【図１１】
2006204315.tif 000013
【図１２】
2006204315.tif 000014
【図１３】
2006204315.tif 000015